(57)【要約】【課題】  従来の検査では不良品と判断され廃棄されていた表示パネルの内、いくつかを良品に修正したり、表示パネルの生産性を向上させたりする方法を提供する。  表示パネルの表示不良を検出するとともに、当該表示不良を補正する方法を提供する。【解決手段】  表示パネルに画像信号を入力して画像を表示し、前記表示パネルに表示された画像を撮像し、前記撮像した画像データに含まれる複数の画素データに基づいて前記表示パネル全体の基準となる画素データを算出し、前記算出した基準となる画素データと前記複数の画素データとの差異に基づいて画像補正データを算出し、前記画像補正データに基づいて前記表示パネルに入力される画像信号を補正することを特徴とする表示パネルの製造方法。【選択図】  図１
2005173250.tif 000002
【特許請求の範囲】
【請求項１】
表示パネルに画像信号を入力して画像を表示し、前記表示パネルに表示された画像を撮像し、前記撮像した画像データに含まれる複数の画素データに基づいて前記表示パネル全体の基準となる画像補正データを算出し、前記算出した基準となる画素データと前記複数の画素データとの差異に基づいて画素データを算出し、前記画像補正データに基づいて前記表示パネルに入力される画像信号を補正することを特徴とする表示パネルの製造方法。
【請求項２】
画像補正データを算出する前に、撮像した画像データに含まれる複数の画素データと予め設定されたデータとを比較して前記画像補正データ算出の要否を判定することを特徴とする請求項１記載の表示パネルの製造方法。
【請求項３】
表示パネルを複数のエリアに分割し、前記分割したエリア毎に画像補正データを算出し、前記分割したエリア毎に前記表示パネルに入力させる画像信号を補正することを特徴とする請求項１または２記載の表示パネルの製造方法。
【請求項４】
表示パネルがプラズマディスプレイパネルであることを特徴とする請求項１から３のいずれか１項に記載の表示パネルの製造方法。
【請求項５】
複数のエリア毎に画像信号を出力する複数の駆動回路と、前記複数の駆動回路から出力する画像信号に対する補正量をそれぞれに設定する複数の補正部とを備え、前記補正量の少なくとも１つが他の補正量と異なることを特徴とする表示パネル。
【発明の詳細な説明】
【技術分野】
【０００１】
本発明は、表示不良を補正可能な表示パネルの製造方法に関し、特に表示パネルの画素毎および表示パネルを駆動する駆動回路毎の表示不良の程度を算出して補正可能な表示パネルの製造方法に関する。
【背景技術】
【０００２】
プラズマディスプレイパネルなど表示パネルの製造において、表示パネルに設けられる全ての画素を均一に作成する事は困難である。具体的には、同じ画像信号が入力された場合でも画素毎に明るさが異なる欠陥（以下、むら欠陥）が生じる。上記むら欠陥の原因としては、画素毎の特性のばらつき及び駆動回路の特性のばらつきに大別される。１つの駆動回路によって表示パネル全体が駆動される場合には、画素毎の特性のばらつきが上記むら欠陥の原因となる。一方、表示画面を分割した複数の範囲毎に設けた複数の駆動回路によって表示パネル全体が駆動される場合には、画素毎の特性のばらつきのみならず駆動回路毎の特性のばらつきが、むら欠陥の原因となる。
【０００３】
従来の表示パネル検査方法は、予め定めた輝度信号で全ての画素を駆動させた表示パネルの画面全体を撮像した画像データを取得し、当該画像データの局所的な明るさの変化を強調してむら欠陥を検出し、検査対象の表示パネルが良品であるか否かを判断している。
【０００４】
図１４に示したフローチャートを参照して、従来の表示パネル検査方法を説明する。ステップＳ１０２において、検査対象の表示パネルを全白点灯させる。ステップＳ１０４において、ＣＣＤカメラなどの撮像装置を用いて上記の全白点灯させた表示パネルの表示部を撮像し、画像データを取得する。
【０００５】
ステップＳ２１２において、上記ステップＳ１０４で取得した画像データに含まれる輝度値を処理して、輝度値の連続的な変化を取り除いて局所的な変化を強調させるべく処理する。ステップＳ２１４において、ステップＳ２１２で強調された画像データに予め設定された閾値を超える部分が含まれる場合には、検査対象の表示パネルに、むら欠陥があると判定する。（例えば、特許文献１参照）。
【特許文献１】特開平１１−６６３１１号公報
【発明の開示】
【発明が解決しようとする課題】
【０００６】
しかしながら、従来の技術ではむら欠陥を検出することによって製品の良否を判断することはできても、表示パネルのむら欠陥を修正して良品にすることはできず、不良品と判断された表示パネルは、廃棄される。
【０００７】
それゆえに、本発明の目的は、表示パネルの画素毎の表示不良の程度を検出するとともに、検出した表示不良を低減すべく表示パネルに入力される画像信号を補正する方法を提供する。
【課題を解決するための手段】
【０００８】
表示パネルに画像信号を入力して画像を表示し、前記表示パネルに表示された画像を撮像し、前記撮像した画像データに含まれる複数の画素データに基づいて前記表示パネル全体の基準となる画素データを算出し、前記算出した基準となる画素データと前記複数の画素データとの差異に基づいて画像補正データを算出し、前記画像補正データに基づいて前記表示パネルに入力される画像信号を補正することにより、従来の検査では不良品と判断され廃棄されていた表示パネルの内、いくつかを良品に修正することが可能となる。
【発明の効果】
【０００９】
本発明によれば、画像補正データを算出して表示パネルに入力させる画像信号を補正することにより、従来の検査では不良品と判断され廃棄されていた表示パネルの内、いくつかを良品に修正することが可能となり、表示パネルの生産性を向上させることが可能となる。
また、表示パネルのエリア毎に画像信号を補正することにより、色むらの少ない表示パネルを提供することが可能となる。
【発明を実施するための最良の形態】
【００１０】
本発明の実施の形態を説明する前に、まず本発明の基本概念について説明する。図１３は、ｎ個の駆動回路によってそれぞれｎ個の異なる表示範囲が駆動される表示パネルを同一の画像信号で駆動した場合の、各エリアに含まれる画素の輝度値の分布をヒストグラムで示したものである。
【００１１】
各エリア毎に設けられた駆動回路の特性および各エリアに含まれる画素毎の特性のばらつきに起因して、各エリアに含まれる画素毎の明るさが異なるため、各エリアに含まれる画素の表示特性の差異は、各エリア毎の輝度値のヒストグラムの差異として表される。各ヒストクラムの差異は、例えば各エリアのヒストグラムの最頻値Ｋ１〜Ｋｎなどの、ヒストグラムから求められる値の差異として求めることができる。
【００１２】
このため、本発明は、各エリアのヒストグラムの差異を抑制すべく、各エリアに含まれる画素を駆動させる画像信号を補正することにより、エリア間の表示特性の差異を抑制して、むら欠陥を修正するものである。
【００１３】
（第１の実施の形態）
図１は、本実施の形態に係る表示パネル補正方法を実施する検査装置２００ａ、および検査対象である表示パネル１００ａを示す。
【００１４】
表示パネル１００ａは、例えばプラズマディスプレイパネルであり、画像信号を入力して、当該画像信号に含まれる画像を表示する。
【００１５】
表示パネル１００ａは、表示部１０２、駆動部１０４、及び補正部１０６ａを含む。表示部１０２は、所定数の画素が設けられており画素が駆動される事によって、画像を表示する。なお、表示部１０２は、画素毎にＲＧＢの輝度をそれぞれ変えて表示できる。駆動部１０４は、入力された画像信号に基づいて表示パネルに設けられた画素を駆動する信号を生成して、各画素に出力する。駆動部１０４は、所定数の画素を駆動する複数の駆動回路を含み、表示部１０２は各駆動回路によって駆動される画素が設けられた範囲であるエリアに分割される。
【００１６】
補正部１０６ａは、エリア毎に定めた補正値Ｓｃａを記憶し、入力された画像信号の輝度値を当該補正値に基づいて補正して駆動部１０４に出力する。補正部１０６ａに入力された画像信号の輝度値をＳｉとし、補正値をＳｃａとすると、補正部１０６ａが出力する画像信号の輝度値Ｓｏは、以下の式１で表される。なお、補正値Ｓｃａは、入力される画像信号Ｓｉの輝度値１あたりの補正量である。
【数１】
2005173250.tif 000003
【００１７】
検査装置２００ａは、表示パネル１００ａの画面を検査して、表示パネル１００ａが良品であるか否かを判断するとともに、補正値Ｓｃａを算出する。
【００１８】
検査装置２００ａは、撮像部２０２及び検査部２０４ａを含む。撮像部２０２は、例えばＣＣＤカメラであり、表示パネルの表示部１０２を撮像して画像データＳｖを生成する。撮像部２０２は、撮像した画像についてＲＧＢの三色それぞれの輝度信号を生成する。撮像装置２０２の撮像素子の画素は、表示パネル１００ａの画素に対応するように配置されており、撮像部２０２で生成される画像データは、それぞれ表示パネル１００ａの画素毎の輝度値を含む。
【００１９】
検査部２０４ａは、例えばコンピュータであり、撮像部２０２が生成した画像データＳｖに基づいて、表示パネル１００ａのむら欠陥を検出することにより、表示パネル１００ａが良品か否かを判定するとともに、補正値Ｓｃａを算出して補正部１０６ａに出力する。
【００２０】
次に、図２を参照して、表示パネル１００ａについて詳細に説明する。図２は、表示パネル１００ａの構成を模式的に示すものである。
【００２１】
表示部１０２は、それぞれ異なる駆動回路１０４−１〜１０４−ｎによって駆動されるエリア１０２−１〜１０２−ｎのｎ個のエリアに分割される。
【００２２】
図３は、エリア１０２−１に含まれる画素を示したものである。各エリア１０２−１〜１０２−ｎにはそれぞれ横方向にｐ個、縦方向にｑ個の画素が並べて設けられている。なお、エリア１０２−ｈの左からｉ番目、上からｊ番目の画素を便宜的に画素Ｐ（ｈｉｊ）と呼ぶ。
【００２３】
駆動回路１０４−１〜１０４−ｎは、それぞれ上述したエリア毎に設けられ、それぞれ対応する各エリアに含まれる画素を駆動する。
【００２４】
次に、図４を参照して、本実施の形態に係る表示パネルの補正方法について説明する。同図は、検査装置２００ａの動作を示すフローチャートである。
【００２５】
ステップＳ１０２において、検査対象の表示部１０２の画素全てを全点灯（以下、全白点灯）させる。なお、本実施の形態では、表示部１０２の画素全てを全白点灯させるために、ＲＧＢそれぞれの輝度値が２５５の画像信号を全ての画素に対して入力する。
【００２６】
ステップＳ１０４において、撮像部２０２は、全白点灯させた表示部１０２を撮像し、画像データを生成する。なお、撮像部２０２は、表示部１０２の全体を一度に撮像することとしてもよいし、表示部１０２を複数の範囲に分けて撮像し、表示部１０２全体の画像データを生成する事としてもよい。
【００２７】
ステップＳ１０６において、撮像部２０２は、生成された画像データのＲＧＢ三色のそれぞれの最大輝度値が、２５５になるように、カメラの感度を調整する。
【００２８】
ステップＳ１０８において、撮像部２０２は、全白点灯させた状態の表示部１０２を再度撮像し、画像データＳｖを生成する。
【００２９】
ステップＳ１１０において、検査部２０４ａは、ステップＳ１０８で生成された画像データを取得し、エリア１０２−１〜１０２−ｎ毎に分割する。なお、ステップＳ１１０〜Ｓ１１８は、ＲＧＢの各色について実施され、補正値ＳｃａはＲＧＢの各色について算出されるが、説明の冗長をさけるため、図４に示したフローチャートには、ステップＳ１１０〜Ｓ１１８を１色についてのみ記載し、他の２色については説明を割愛する。
【００３０】
ステップＳ１１２において、検査部２０４ａは、エリア１０２−１〜１０２−ｎ毎に分割した画像データのヒストグラムを作成し、最頻値、最頻値の半値幅、及び標準偏差を算出する。なお、同ステップで作成されるヒストグラムは、図１３に示されるヒストグラムと同一のものである。
【００３１】
ステップＳ１１４において、検査部２０４ａは、ステップＳ１１２において算出した各エリア１０２−１〜１０２−ｎ毎の最頻値、最頻値の半値幅、及び標準偏差と予め定めた閾値とを比較して、表示パネル１００ａが良品であるか、不良品であり且つ良品に修正可能であるか、または不良品であり且つ良品に修正不可能であるか、のいずれに該当するかを判断する。
【００３２】
なお、良品に修正不可能な不良品とは、補正部１０６ａによって入力される画像信号が補正されても良品に修正できない画素を含む表示パネルであり、例えば、全く点灯しない画素がある場合や極めて小さい輝度値の画素がある場合である。全く点灯しない画素は、画像信号を補正しても点灯させることはできない。また、点灯する場合でも入力された画像信号に対して輝度値がきわめて小さい場合は、画像信号を補正した結果、駆動回路の最大出力で画素を駆動しても、良品として十分な輝度値が得られない。このため、上記閾値は、駆動回路などの性能に応じて決められる。
【００３３】
また、上記のような補正部１０６ａによって良品に修正不可能な不良品は、補正値の絶対値がきわめて大きな値になるため、後述するステップＳ１１６ａにおいて算出した補正値の絶対値が補正値についての所定の閾値よりも大きい場合に良品に修正不可能であると判断することとしても良い。
【００３４】
表示パネル１００ａが良品であると判断された場合、および不良品であり且つ補正回路によって良品に修正不可能であると判断された場合は、それぞれ、検査を終了する。一方、表示パネル１００ａが不良品であり且つ補正回路１０６ａによって修正可能であると判断された場合、ステップＳ１１６ａに進む。
【００３５】
ステップＳ１１６ａにおいて、検査部２０４ａは、各エリア間のむら欠陥を修正するための補正値Ｓｃａを算出する。
【００３６】
図５及び図６を参照して、補正値を求める方法について説明する。図５は、表示部１０２全体の画像データのヒストグラムを示したものである。図６は、表示部１０２全体の画像データのヒストグラムと、エリア１０２−ｈの画像データのヒストグラムを重ねて示したものである。
【００３７】
図５に示された、表示部１０２全体の画像データのヒストグラム５００は、表示部１０２全体の表示特性を示し、その最頻値はＫ０である。本実施の形態では、各エリア画像データのヒストグラムと表示部１０２全体の画像データのヒストグラムのとの差異を比較値Ｖｃａとして求める。そして比較値Ｖｃａが減少するように画像信号についての補正値Ｓｃａを求める。
【００３８】
図６に実線で示されたグラフは、エリア１０２−ｈの輝度値のヒストグラム６０ｈであり、その最頻値はＫｈである。比較値Ｖｃａ（ｈ）は、点線で示された表示部１０２全体の画像データのヒストグラム５００の最頻値とエリア１０２−ｈの画像データのヒストグラム６０ｈの最頻値との差であり、以下の式２で算出される。
【数２】
2005173250.tif 000004
【００３９】
なお本実施の形態においては、比較値Ｖｃａを表示パネル１０２全体と各エリアの輝度値のヒストグラムの最頻値の差として算出する事としたが、これに代えて、例えば平均値、または中央値などの表示パネル全体および各エリアに含まれる画素の輝度値の代表的な明るさを示す値を用いることとしてもよい。
【００４０】
比較値Ｖｃａは、検査のために全白点灯させた表示パネル、つまり本実施の形態において輝度値が２２５の画像信号が入力された状態での補正量に相当する。上述したように、補正値Ｓｃａは、入力された画像信号の輝度値１あたりの補正量であるので、エリア１０２−ｈに対する補正値Ｓｃａを補正値Ｓｃａ（ｈ）とし、検査のために表示パネル１００ａに入力した画像信号の輝度値をＫｃとすると補正値Ｓｃａ（ｈ）は、以下の式３で算出される。なお、本実施の形態においてＫｃは２２５である。
【数３】
2005173250.tif 000005
【００４１】
ステップＳ１１８において、検査部２０４ａは、ステップＳ１１６ａで算出した補正値Ｓｃａ（ｈ）を出力し、補正部１０６ａに記憶させる。
【００４２】
図７には、上述のように算出した補正値Ｓｃａ（ｈ）に基づいて、補正部１０６ａが入力された画像信号を補正した場合のエリア１０２−ｈの輝度値のヒストグラム７０ｈが示されている。補正した画像信号に基づいて駆動されたエリア１０２−ｈの輝度値のヒストグラム７０ｈは、補正前の分布形状を保ったまま、その最頻値が表示部１０２全体の画像データのヒストグラム５００の最頻値Ｋ０と一致するように高輝度側にシフトしている。
【００４３】
上記のように、本実施の形態に係る表示パネル補正方法によれば、複数の点灯回路によって駆動される１つの表示パネルにおいて、点灯回路毎の特性のばらつきに起因する輝度の差異に基づいて点灯回路に入力される画像信号を補正する補正値が算出される。そして、上記補正値に基づいて表示パネル１００ａに入力される画像信号を補正する補正部を表示パネルに設けることによって、上記点灯回路毎の特性のばらつきに起因する輝度の差異を抑制でき、むら欠陥を修正できる。
【００４４】
しかしながら、本実施の形態に係る表示パネル補正方法では、点灯回路毎の特性のばらつきに起因するむら欠陥を修正することはできるものの、画素毎の特性のばらつきに起因するむら欠陥を修正することができない。具体的には図７に示すように、エリア１０２−ｈに含まれる画素を駆動する画像信号を補正することにより、エリア１０２−ｈに含まれる画素の輝度の分布が補正によって一定の輝度値だけシフトするため、補正されたエリア１０２−ｈの画像データの分布が、表示部全体の画像データの分布する範囲を超えてしまう。このため、表示部全体の画像データの分布する範囲を超えた画素に起因する表示部全体の輝度のばらつきを広げてしまう結果となる。
【００４５】
（第２の実施の形態）
本発明の第２の実施の形態に係る表示パネル補正方法では、検査装置は、表示パネルの画素毎に画素を駆動するための画像信号を補正する補正値を求め、表示パネルは、当該補正値に基づいて入力される画像信号を画素毎に補正することを特徴とする。
【００４６】
このため、図８に示した本実施の形態における表示パネル１００ｂは、第１の実施の形態における表示パネル１００ａの補正部１０６ａが１０６ｂに置換された構成を有している。また、同図に示された検査装置２００ｂは、第１の実施の形態における検査装置２００ａの検査部２０４ａが検査部２０４ｂに置換された構成を有している。なお、前述の第１の実施の形態と同一の構成要素については同一の符号を付し、その説明を省略する。
【００４７】
表示パネル１００ｂは、表示部１０２、駆動部１０４、及び補正部１０６ｂを含む。補正部１０６ｂは、画素毎に定められた補正値Ｓｃｐを記憶し、入力された画像信号の輝度値を当該補正値に基づいて補正して駆動部１０４に出力する。補正部１０６ｂに入力された画像信号の輝度値をＳｉとし、補正値をＳｃｐとすると、補正部１０６ｂが出力する画像信号の輝度値Ｓｏは、以下の式４で表される。
【数４】
2005173250.tif 000006
【００４８】
検査装置２００ｂは、撮像部２０２及び検査部２０４ｂを含む。検査部２０４ｂは、例えばコンピュータであり、撮像部２０２が生成した画像データＳｖに基づいて、表示パネル１００ｂのむら欠陥を検出することにより、表示パネル１００ｂが良品か否かを判定するとともに、画素毎の補正値Ｓｃｐを算出して補正部１０６ｂに出力する。
【００４９】
次に、図９を参照して、本実施の形態に係る表示パネルの補正方法について説明する。同図に示されたフローチャートは、検査装置２００ｂの動作を示しており、図４に示された第１の実施の形態の検査装置２００ａの動作を示すフローチャートのステップＳ１１６ａがステップＳ１１６ｂに変更されたものである。なお、前述の第１の実施の形態における検査装置２００ａの動作と同一のステップについては同一の符号を付し、その説明を省略する。
【００５０】
ステップＳ１１６ｂにおいて、検査部２０４ｂは、画素毎のむら欠陥を修正するために補正部１０６ｂに記憶させる補正値Ｓｃｐを算出する。以下、エリア１０２−ｈの左からｉ番目、上からｊ番目の画素Ｐ（ｈｉｊ）に対する補正値Ｓｃｐ（ｈｉｊ）を算出する場合について説明する。
【００５１】
補正値Ｓｃｐは、補正対象の画素の輝度値から、表示部１０２全体を代表する輝度値である基準値を引いた差分として算出される。画素Ｐ（ｈｉｊ）の輝度値をＫ（ｈｉｊ）として、上記基準値を各エリアのそれぞれの左からｉ番目、上からｊ番目の画素の輝度値の平均値とすると、比較値Ｖｃｐ（ｈｉｊ）は、以下の式５で算出される。
【数５】
2005173250.tif 000007
【００５２】
なお、上記式３に代えて、基準値を補正対象画素を含むエリア以外のエリアのそれぞれの左からｉ番目、上からｊ番目の画素の輝度値の平均値とすることとしてもよい。この場合補正値Ｖｃｐは以下の式６で算出される。
【数６】
2005173250.tif 000008
【００５３】
なお、  比較値Ｖｃｐは、検査のために全白点灯させた表示パネル、つまり本実施の形態において輝度値が２２５の画像信号が入力された状態での補正量に相当する。上述したように、補正値Ｓｃｐは、入力された画像信号の輝度値１あたりの補正量であるので、画素Ｐ（ｈｉｊ）に対する補正値Ｓｃｐを補正値Ｓｃｐ（ｈｉｊ）とし、検査のために表示パネル１００ｂに入力した画像信号の輝度値をＫｃとすると補正値Ｓｃｐ（ｈｉｊ）は、以下の式７で算出される。なお、本実施の形態においてＫｃは２２５である。
【数７】
2005173250.tif 000009
【００５４】
図１０には、上述のように算出した補正値Ｓｃｐに基づいて、画像信号を補正した場合のエリア１０２−ｈの画像データのヒストグラム１００ｈが示されている。画像信号が補正された結果、エリア１０２−ｈの輝度値は、高輝度側にシフトするとともに、表示部１０２全体の画像データのヒストグラム５００と一致するように補正される。
【００５５】
上記のように、本実施の形態に係る表示パネル補正方法によれば、表示パネルに設けられた画素毎に、表示パネル全体の輝度値の分布の範囲内になるように各画素を駆動する画像信号を補正するための補正値が算出される。そして、上記補正値に基づいて表示パネル１０２に入力される画像信号を画素毎に補正する補正部を表示パネルに設けることによって、上記点灯回路毎の特性のばらつきに起因する輝度の差異を抑制でき、むら欠陥を修正できる。
【００５６】
（第３の実施の形態）
上述の第２の実施の形態では、補正後の各エリアの輝度値の分布が表示パネル全体の画素の輝度値の分布範囲に入るように、画素に対する補正値を算出したが、本発明の第３の実施の形態では、表示パネルに含まれる全画素を代表する１つの輝度値を基準として画素に対する補正値を算出することを特徴とする。
【００５７】
図１１を参照して、本実施の形態に係る表示パネル補正方法について説明する。同図に示されたフローチャートは、本実施の形態における検査装置２００ｂの動作を示しており、図９に示された第２の実施の形態の検査装置２００ｂの動作を示すフローチャートのステップＳ１１６ｂがステップＳ１１６ｃに変更されたものである。なお、前述の第２の実施の形態における表示パネル補正動作と同一のステップについては同一の符号を付し、その説明を省略する。
【００５８】
ステップＳ１１６ｃにおいて、検査部２０４ｂは、断されたエリアに含まれる各画素を修正するために補正部１０６ｂに記憶させる補正値Ｓｃｐを算出する。以下、エリア１０２−ｈの左からｉ番目、上からｊ番目の画素Ｐ（ｈｉｊ）に対する補正値Ｓｃｐ（ｈｉｊ）を算出する場合について説明する。
【００５９】
比較値Ｖｃｐは、補正対象の画素の輝度値Ｋ（ｈｉｊ）から、表示部１０２全体の輝度値のヒストグラムの最頻値Ｋ０を引いた差分であり、以下の式８で算出される。
【数８】
2005173250.tif 000010
【００６０】
なお、補正値Ｓｃｐ（ｈｉｊ）は、上記のように算出した比較値Ｖｃｐ（ｈｉｊ）を用いて第２の実施の形態と同様に、式７によって算出される。図１２には、上述のように算出した補正値Ｓｃｐに基づいて、補正部１０６ｂが入力された画像信号を補正した場合の表示部１０２に含まれる全画素の輝度値のヒストグラムが示されている。画像信号が補正された結果、表示部１０２に含まれる画素の輝度値は、表示部１０２全体の画像データのヒストグラムの最頻値Ｋ０と一致するように補正される。
【００６１】
上記のように、本実施の形態に係る表示パネル補正方法によれば、表示パネルに設けられた画素毎に、実際に駆動させた表示パネルの輝度値の分布に基づく所定の値になるように各画素を駆動する画像信号を補正するための補正値が算出される。そして、上記補正値に基づいて表示パネル１０２に入力される画像信号を画素毎に補正する補正部を表示パネルに設けることによって、上記点灯回路毎の特性のばらつきに起因する輝度の差異を抑制でき、むら欠陥を修正できる。
【産業上の利用可能性】
【００６２】
本発明に係る表示パネルの補正方法は、例えばプラズマディスプレイパネルなどの駆動回路毎あるいは画素毎の特性のばらつきに起因するむら欠陥などの表示パネルの輝度などの差異を低減できるので、表示パネルの表示不良の修正に有用である。
【図面の簡単な説明】
【００６３】
【図１】本発明の第１の実施の形態に係る表示パネル補正方法を実施する検査装置および検査対象の表示パネルを示す図
【図２】図１に示された表示パネルを詳細に示す図
【図３】図１に示された表示パネルに設けられた画素を示す図
【図４】図１に示された検査装置の動作を示すフローチャート
【図５】表示部全体の画素の輝度値のヒストグラム
【図６】図３に示されたフローチャートのステップＳ１１６ａにおける補正値の算出方法を説明するための図
【図７】図３のステップＳ１１６ａで算出された補正値に基づいて補正された画像信号で駆動された画素の輝度値のヒストグラム
【図８】本発明の第２の実施の形態に係る表示パネル補正方法を実施する検査装置および検査対象の表示パネルを示す図
【図９】図８に示された検査装置の動作を示すフローチャート
【図１０】本発明の第２の実施の形態に係る表示パネル補正方法で算出された補正値に基づいて補正された画像信号で駆動された画素の輝度値のヒストグラム
【図１１】本発明の第３の実施の形態に係る表示パネル補正方法を実施する検査装置の動作を示すフローチャート
【図１２】本発明の第３の実施の形態に係る表示パネル補正方法で算出された補正値に基づいて補正された画像信号で駆動された画素の輝度値のヒストグラム
【図１３】複数の駆動回路によって駆動される表示パネルの各駆動回路によって駆動される表示範囲毎の輝度値のヒストグラム
【図１４】従来の表示パネル検査方法を示すフローチャート
【符号の説明】
【００６４】
１００ａ、１００ｂ  表示パネル
１０２  表示部
１０２−１〜１０２−ｎ  エリア
１０４  駆動部
１０４−１〜１０４−ｎ  駆動回路
１０６ａ、１０６ｂ  補正部
２００ａ、２００ｂ  検査装置
２０２  撮像部
２０４ａ、２０４ｂ  検査部
【図１】
2005173250.tif 000011
【図２】
2005173250.tif 000012
【図３】
2005173250.tif 000013
【図４】
2005173250.tif 000014
【図５】
2005173250.tif 000015
【図６】
2005173250.tif 000016
【図７】
2005173250.tif 000017
【図８】
2005173250.tif 000018
【図９】
2005173250.tif 000019
【図１０】
2005173250.tif 000020
【図１１】
2005173250.tif 000021
【図１２】
2005173250.tif 000022
【図１３】
2005173250.tif 000023
【図１４】
2005173250.tif 000024